(57)【要約】【課題】  切断材を載置するテーブルに対して上下動させる切断機本体を備えた卓上丸鋸盤において、切断機本体の上死点ロックを解除するためのレバーは、従来ハンドル部を把持する操作とは別にアンロック解除する必要があり、この点で操作が面倒であった。本発明では、操作性のよいアンロック解除レバーを備えた上死点ロック機構を提供する。【解決手段】  ハンドル部１４の把持部１４ａに沿ってロック解除レバー５１を設けて、把持部１４ａの把持動作に対応してロック解除レバー５１が把持されてアンロック操作され、これにより作動ロッド５２をその軸方向に移動させてロックピンをロック孔に係脱させる構成とする。【選択図】        図１
2007111945.tif 000002
【特許請求の範囲】
【請求項１】
切断材を載置するためのテーブルと、該テーブルに対して上下動可能な切断機本体と、該切断機本体を上方の待機位置で下動不能にロックする上死点ロック機構を備えた切断機であって、
前記切断機本体は、操作者が把持する把持部と該把持部の一端側を当該切断機本体に支持する連結部により内側にＤ形のスペースを有するハンドル部を備え、
前記上死点ロック機構は、そのロック状態を解除するためのロック解除レバーと、該ロック解除レバーの解除操作により軸方向に移動する作動ロッドと、該作動ロッドの軸方向への移動によりロック位置とアンロック位置との間を移動するロックピンを備え、
前記ロック解除レバーを前記ハンドル部の把持部に沿って設けて、前記連結部に沿ってブラケットを移動可能に設け、該ブラケットに前記ロック解除レバーと前記作動ロッドを支持して、前記把持部の把持動作に対応して前記ロック解除レバーが解除操作され、該ロック解除レバーの解除操作により前記作動ロッドを軸方向に移動させて前記ロックピンをアンロック位置に移動させる構成とした切断機。
【請求項２】
請求項１記載の切断機であって、ロック解除レバーは、前記ブラケットに支軸を介して上下に傾動可能に支持され、前記支軸を中心として傾動させる第１段階解除操作と、前記ブラケットを前記連結部に沿って移動させる第２段階解除操作の二段階で解除操作される構成とした切断機。
【請求項３】
請求項１又は２記載の切断機であって、前記切断機本体は、回転する円形の切断刃と該切断刃の下側周縁を覆うカバーを備え、前記ブラケットはストッパアーム部を備え、前記ロック解除レバーの操作に伴う当該ブラケットの変位により、前記ストッパアーム部を前記カバーの移動経路に進入させて当該カバーの開放を禁止する状態と、前記移動経路から退出して該カバーの開放を許容する状態とに切り換える構成とした切断機。
【発明の詳細な説明】
【技術分野】
【０００１】
この発明は、例えば卓上形の丸鋸盤であって、テーブル上にセットした切断材に対して切断機本体を上下動させて切断加工を行う形態の切断機に関する。
【背景技術】
【０００２】
例えば、上記卓上丸鋸盤は、切断材を載置するテーブルと、このテーブルに対して上下動可能に支持した切断機本体を備えたもので、当該切断機本体を下方に回動させて回転する円形の切断刃（鋸刃）を切断材に押し付けることにより切断加工が行われ、切断加工が終了し、あるいは切断加工を行わない場合には切断機本体は上方の待機位置に戻される。
また、切断刃の上側半周程度の範囲はブレードケース内に収容されており、下側半周程度の範囲は、開閉式のセーフティカバーで覆われるようになっている。通常このセーフティカバーは、リンクアーム等を介して切断機本体の上下動に連動して開閉されるようになっており、切断機本体が上記待機位置に戻されると閉じられて切断刃の下側を覆い、切断機本体が下方へ移動されると開かれて切断刃の下部が露出される。
切断機本体は、上方の待機位置（上死点）でロックされて下方へ移動しないようになっている。従来この上死点ロック機構に関する技術が例えば特許第３５５３２６７号公報に開示されている。この従来の上死点ロック機構によれば、切断機本体が上方の待機位置に戻されると、ロックピンが係合して切断機本体が下動不能にロックされ、またセーフティカバーが閉じ状態にロックされる一方、ハンドル部付近に設けたロック解除レバーを操作することによりロックピンを退避させて切断機本体が下動可能な状態になるとともにセーフティカバーの閉じ状態がアンロックされる構成となっていた。
【特許文献１】特許第３５５３２６７号公報
【特許文献２】特許第２６２７１９２号公報
【発明の開示】
【発明が解決しようとする課題】
【０００３】
しかしながら、上記従来の上死点ロック機構によれば、ハンドル部付近にロック解除レバーが配置されているものの、上方の待機位置に位置する切断機本体を下動させるために操作者は先ずハンドル部を把持し、この把持状態を維持しつつその指先で上記ロック解除レバーを別途解除操作する必要があり、この点で操作性が悪かった。
本発明は、切断機本体の上死点ロック解除レバーの解除操作を従来よりも楽に行うことができる切断機を提供することを目的とする。
【課題を解決するための手段】
【０００４】
本発明は、この課題を解決するために、特許請求の範囲の各請求項に記載した構成の切断機とした。
請求項１記載の切断機によれば、切断機本体が上方の待機位置（上死点）に位置する状態で、ハンドル部の把持部の把持動作に対応してロック解除レバーが解除操作されるので、従来のように操作者はハンドル部を把持し、この把持状態を維持しつつ別途ロック解除レバーを解除操作する必要はなく、この点で従来よりも切断機本体の上死点ロック状態の解除操作を楽に行うことができる。
また、ロック解除レバーがアンロック操作されるとブラケットがハンドル部の連結部に沿って移動し、これにより作動ロッドがその軸方向に移動してロックピンがアンロック位置に移動する。このようにロック解除レバーのアンロック操作に伴う作動ロッドの軸方向の移動により、ロックピンをアンロック位置に移動させる構成であるので、当該作動ロッドをその軸回りに回転させることによりロックピンをアンロック位置に移動させる構成とした場合に比して、ロック解除レバーの操作量を必要以上に大きくすることなくロックピンのロック位置とアンロック位置との間のストロークを大きく設定することができ、これによりロック状態とアンロック状態との切り換えを確実に行うことができる。
請求項２記載の切断機によれば、ハンドル部の把持部を把持すると、ロック解除レバーが第１段階解除操作されて傾動することによりその傾動先端部が把持部に当接し、次いで当該当接部を支点として傾動させることによりブラケットを平行移動させる第２段階解除操作によりロック解除操作（アンロック操作）される。
このように二段階の傾動操作により当該ロック解除レバーがアンロック操作される構成であるので、単に平行移動させてアンロック操作する構成に比してブラケット及び作動ロッドの移動距離を大きく設定することができ、これによりロック状態とアンロック状態との切り換えをより一層確実に行うことができるとともに、操作者の操作感を向上させることができる。また、一端側と他端側を支点とする２回の傾動操作によって結果的に平行移動させた場合と同じ姿勢で把持することができるので、第１段階解除操作開始当初と第２段階解除操作完了時点における当該ロック解除レバーの姿勢を共に把持部に対して平行に沿わせた状態とすることができる。特に、第２段階解除操作完了時点においてもロック解除レバーを把持部に平行に沿わせた状態とすることができるので、切断加工時（ハンドル部把持状態）におけるハンドル部の操作性（把持感）を良好に維持することができる。
請求項３記載の切断機によれば、簡易な構成でカバーのロック状態とアンロック状態との切り換えを確実に行うことができる。
【発明を実施するための最良の形態】
【０００５】
次に、本発明の実施形態を図１〜図９に基づいて説明する。図１は、以下説明する切断機１を示している。本実施形態では切断機の一例として卓上形の丸鋸盤を例示する。また、本実施形態は切断機本体１０を上方の待機位置にロックするための上死点ロック機構５０について特徴を有するものであり、当該切断機１の基本的な構成については特に変更を要しない。以下、切断機１の基本的な構成について簡単に説明する。
この切断機１は、切断材（図示省略）を載置するためのテーブル２と、テーブル２を水平方向に回転可能に支持するベース３と、テーブル２の後部（図１において右端部）から上方へＬ字形に延びるアーム部４と、アーム部４の先端に支軸５を介して上下に傾動可能に支持された切断機本体１０を備えている。図１において当該切断機１の左側に操作者が位置する。操作者は、片手でハンドル部１４を把持して切断機本体１０の上下動操作及び切断作業等を行う。なお、以下用いる図では操作者の手は図示省略されている。
テーブル２は支軸６を介してベース３の上面に支持されている。テーブル２は支軸６を中心にして水平に回転可能な状態でベース３上に支持されている。
テーブル２の上方には、切断材をテーブル面方向に位置決めするための位置決めフェンス７が配置されている。この位置決めフェンス７は、テーブル２を跨った状態でベース３の両側部に固定されている。
このテーブル２の後部に傾動支持部８を介してアーム部４が設けられている。傾動支持部８は、アーム部４ひいては切断機本体１０を切断進行方向に対して左右（図１において紙面に直交する方向）に傾動可能に支持する機能を有している。テーブル２に対するアーム部４ひいては切断機本体１０の傾動位置は、固定レバー９を締め込むことにより固定される。この傾動支持機構についても従来と同様の構成で足り、本実施形態において特に変更を要しない。
【０００６】
図１及び図２に示すように切断機本体１０は、電動モータ１１により回転する円形の切断刃１２を備えている。切断刃１２の上側半分程度の範囲はブレードケース１３内に収容されて覆われている。このブレードケース１３は切断刃１２の正面側及び背面側を覆っている。このブレードケース１３の背面側（図１において手前側、操作者から見て右側）にモータ台座部１３ｄが設けられている。このモータ台座部１３ｄに電動モータ１１が取り付けられている。
また、ブレードケース１３の背面側下部に設けた支持軸部１３ｂのスピンドルに切断刃１２が取り付けられている。スピンドルは、電動モータ１１を駆動源として回転する。
ブレードケース１３の図１において右端部に傾動支持部１３ａが設けられている。この傾動支持部１３ａが上記支軸５を介してアーム部４の先端に上下に回動可能に支持されている。
また、アーム部４の先端に設けた台座部４ａとブレードケース１３の傾動支持部１３ａとの間には、圧縮ばね１７が介装されている。この圧縮ばね１７によって切断機本体１０は常時上方すなわち上死点（待機位置）に向けて付勢されている。図１及び図２は、切断機本体１０が上方の待機位置に位置する状態を示している。
リンクアーム２１の一端側（傾動基端部２１ｄ）は、支軸２２を介してアーム部４の台座部４ａに対して上下に傾動可能に連結されている。このリンクアーム２１の長手方向中程には、上側に凸となる向きに湾曲する円弧形状のガイド溝２１ａが形成されている。このガイド溝２１ａには、ブレードケース１３の背面側から突き出したガイドピン１８が挿入されている。このため、切断機本体１０が支軸５を中心にして上下に傾動すると、ガイドピン１８が相対的にガイド溝２１ａ内を変位することによりこのリンクアーム２１が支軸２２を中心にして上下に傾動する。
ガイドピン１８がガイド溝２１ａの上端に当接することによって切断機本体１０の上死点（上方への傾動端）が一定位置に規制されている。
【０００７】
次に、ブレードケース１３の背面側であってモータ台座部１３ｄ付近には、いわゆるＤ形のハンドル部１４が設けられている。このハンドル部１４の概ね直線部分が、操作者が把持するための把持部１４ａとなっている。把持部１４ａの上部はモータ台座部１３ｄの上部付近に至っており、下部は連結部１４ｂを経てモータ台座部１３ｄの下部付近に至っており、把持部１４ａと連結部１４ｂとモータ台座部１３ｄとの間に概ね三角形状（Ｄ形）のスペースＳを有するハンドル部１４が構成されている。操作者はこのハンドル部１４の内側のスペースＳに指先を差し入れて、把持部１４ａを把持することができる。
この把持部１４ａの上部内側に、トリガ形式のスイッチレバー１５が配置されている。このスイッチレバー１５を把持した指先で引き込み側（オン側）に傾動操作すると、電動モータ１１が起動して切断刃１２が高速回転する。把持部１４ａの外側には、ロックオフボタン１６が設けられている。このロックオフボタン１６を例えば親指で押し込み操作すると、例えば人差し指でスイッチレバー１５をオン側に操作することができる。ロックオフボタン１６を押し込み操作しない状態では、スイッチレバー１５のオン操作が禁止され、これにより不用意な電動モータ１１の起動が未然に防止されるようになっている。
把持部１４ａの下部内側に、本実施形態に係る上死点ロック機構５０のロック解除レバー５１が配置されている。この上死点ロック機構５０については後述する。
ブレードケース１３の下部（開口側）には、切断刃１２の下側半周の周縁を覆うカバー２０が取り付けられている。図７に示すようにこのカバー２０の正面側には切断刃１２の正面側を覆う支持縁部２０ａが一体に設けられている。この支持縁部２０ａの先端は、支軸２３を介してブレードケース１３の正面側下部に回動可能に支持されている。支軸２３は切断刃１２の回転中心（支持軸部１３ｂ）とほぼ同軸に位置している。カバー２０はこの支軸２３を中心にして回転する。
【０００８】
このカバー２０は、図１及び図２において時計回り方向に回転すると切断刃１２に対して開かれ、反時計回り方向に回転すると切断刃１２に対して閉じられる。図１及び図２は切断刃１２に対してカバー２０が閉じられた状態を示し、図３は切断刃１２に対してカバー２０が開かれた状態を示している。
このカバー２０は、ブレードケース１３とアーム部４との間に掛け渡し状態に介装したリンクアーム２１によって切断機本体１０の上下動に連動して開閉される。この点についても従来と同様である。すなわち、図１及び図２に示すように切断機本体１０が待機位置に固定された状態ではカバー２０は閉じられ、この閉じ位置から図３に示すように切断機本体１０が下方の切断位置に向けて下動すると、これに連動してカバー２０は時計回り方向に回転して開かれる。
リンクアーム２１の傾動先端側は、当該カバー２０の支持縁部２０ａに張り出して設けられた当て板２１ｂに突き当てられている。このため、切断機本体１０の上下動に伴いリンクアーム２１の傾動先端側が支軸２３の周囲を相対変位することにより当て板２１ｂが押され、これによりカバー２０が支軸２３を中心にして回転して切断刃１２に対して開閉される。
カバー２０の背面側端部にはストッパ縁部２０ｂが一体に設けられている。このストッパ縁部２０ｂは、以下説明する上死点ロック機構５０により当該カバー２０を閉じ状態にロックする機能を有している。詳細は後述する。
【０００９】
次に、上死点ロック機構５０は、切断機本体１０を上方の待機位置で下動不能に固定する機能を有するもので、上記ロック解除レバー５１は、この待機位置でのロック状態を解除する機能を有している。
ブレードケース１３の背面側であってモータ台座部１３ｄ付近には作動ロッド５２がその軸方向に移動可能に支持されている。この作動ロッド５２の一端側はモータ台座部１３ｄの側部であって操作者から見て手前側に突き出されている。この突き出し部には、ブラケット５３が固定されている。このブラケット５３は、図７に示すように一対の支持縁部５３ａ，５３ａを有する二股形状を有している。この両支持縁部５３ａ，５３ａ間にハンドル部１４の連結部１４ｂを挟み込む状態で、当該ブラケット５３が連結部１４ｂの長手方向に沿って移動可能に支持されている。両支持縁部５３ａ，５３ａの先端部は、ハンドル部１４の内側であって把持部１４ａと連結部１４ｂとの間の屈曲部付近に至っている。この両支持縁部５３ａ，５３ａの先端部間に支軸５４が取り付けられており、この支軸５４を介して上記ロック解除レバー５１が上下に一定角度の範囲で回動可能に支持されている。図示は省略されているが、ロック解除レバー５１と両支持縁部５３ａ，５３ａ間には捩りばねが介装されている。この捩りばねによってロック解除レバー５１は、図１及び図２において時計回り方向に付勢されている。また、図示省略したストッパ部によってロック解除レバー５１の時計回り方向の回動端が図１，２及び図５に示す非操作位置に保持される。ロック解除レバー５１が非操作位置に保持されると、把持部１４ａに対してほぼ平行に沿った状態となる。
【００１０】
図７に示すようにこのロック解除レバー５１は断面半円弧形状を有しており、把持部１４ａの内側に沿って位置している。このため、操作者が把持部１４ａを把持すると、同時にこのロック解除レバー５１が把持され、これにより当該ロック解除レバー５１が把持部１４ａに押し付けられたロック解除状態となる。これについては後述する。
図７に示すように両支持縁部５３ａ，５３ａには、それぞれハンドル部１４の連結部１４ｂに向けて突き出す突部５３ｃが設けられている。両突部５３ｃ，５３ｃ間の距離は、連結部１４ｂの左右方向の厚みよりわずかに大きく設定されており、係る設定によりロック解除レバー５１とブラケット５３のスムーズな動作が実現される。さらに、突部５３ｃは点形状であるため、ブラケット５３の部品製造を行う上で、寸法調整が容易である。
図７において左側の支持縁部５３ａにはストッパアーム部５３ｂが設けられている。このストッパアーム部５３ｂの先端部５３ｄは、閉じ状態のカバー２０のストッパ縁部２０ｂの開き方向前側（上側）に至っている。後述するようにこのストッパアーム部５３ｂの先端部５３ｄは、ロック解除レバー５１の解除操作により、カバー２０のストッパ縁部２０ｂの移動経路から外れた状態となる一方、当該ロック解除レバー５１を操作しない状態ではストッパ縁部２０ｂの移動経路内に進入した位置に保持され、これによりカバー２０の開き方向への回動が規制される。これについてはさらに詳述する。
【００１１】
作動ロッド５２の他端側は、モータ台座部１３ｄの反対側の側部から後方へ突き出されている。この後方側の突き出し部において当該作動ロッド５２とモータ台座部１３ｄの側部との間には圧縮ばね５５が介装されている。この圧縮ばね５５によって作動ロッド５２は図１〜３，９において右方に付勢されている。以下、この方向をロック方向若しくはロック側という。
作動ロッド５２の後方側の突き出し部の先端（後端部）は、ブレードケース１３の背面側（図１〜図３において手前側）に設けた作動ブラケット６０に連結されている。図８に示すようにこの作動ブラケット６０は、帯板材をＬ字形に屈曲した形状を有するもので、ブレードケース１３の背面から側方（図８において上方）へ起立する起立片部６０ａとブレードケース１３の背面にほぼ沿った作動片部６０ｂを備えている。この作動ブラケット６０は、その屈曲部付近において支軸６１を介してブレードケース１３の背面側に回動可能に支持されている。この作動ブラケット６０の両端部であって起立片部６０ａの先端側及び作動片部６０ｂの先端側には、それぞれ鍵穴形状のガイド溝６０ｃ，６０ｄが形成されている。
起立片部６０ａのガイド溝６０ｃに、上記作動ロッド５２の後端部に形成した小径部５２ａが挿入されている。これにより作動ロッド５２の後端部は、作動ブラケット６０の起立片部６０ａに対して軸方向にほぼ一体化された状態で連結されている。このため、作動ロッド５２がその軸方向に変位すると、これに伴って作動ブラケット６０が支軸６１を中心にして傾動する。作動ロッド５２がロック側（図８において右方）に移動すると、起立片部６０ａが押されて作動ブラケット６０が図８中実線で示すロック側（図８において時計回り方向）に傾動する。これに対して、作動ロッド５２がアンロック側（図８において左方）に移動すると、起立片部６０ａが引かれて作動ブラケット６０が図８中二点鎖線で示すアンロック位置側（図８において反時計回り方向）に傾動する。
【００１２】
作動ロッド５２がロック側に移動して作動ブラケット６０がロック側に傾動すると、その作動片部６０ｂがブレードケース１３の背面に接近する方向（図８において下方、実線で示す位置）に変位する。一方、作動ロッド５２がアンロック側に移動して作動ブラケット６０がアンロック側に傾動すると、その作動片部６０ｂがブレードケース１３の背面から離れる方向（図８において上方、二点鎖線で示す位置）に変位する。
作動ブラケット６０の作動片部６０ｂの先端は、ロックピン６５の頭部に連結されている。ロックピン６５の頭部には、作動ロッド５２の後端部と同様、小径部６５ａが設けられている。この小径部６５ａが作動片部６０ｂのガイド溝６０ｄに挿入されている。このため、ロックピン６５の頭部は、作動ブラケット６０の作動片部６０ｂに対して軸方向にほぼ一体化された状態で連結されている。これによれば、作動ロッド５２がその軸方向（ロック側又はアンロック側）に変位すると、これに伴って作動ブラケット６０が支軸６１を中心にして傾動する。
作動ロッド５２がロック側に移動すると、作動片部６０ｂがブレードケース１３の背面に接近する方向に移動し、これによりロックピン６５が図８において下方（ロック側）へ移動する。一方、作動ロッド５２がアンロック側に移動すると、作動片部６０ｂがブレードケース１３の背面から離れる方向に移動し、これによりロックピン６５が図８において上方（アンロック側）へ移動する。
図８に示すようにロックピン６５の先端部は、前記リンクアーム２１に設けたロック孔２１ｃに抜き差しされる。作動ロッド５２がロック方向に移動するとロックピン６５がロック孔２１ｃに挿入される。作動ロッド５２がアンロック方向に移動するとロックピン６５がロック孔２１ｃから抜き出される。
ロックピン６５がロック孔２１ｃに挿入された状態では、リンクアーム２１がブレードケース１３の背面に沿って変位不能となるため前記ガイドピン１８が相対的にガイド溝２１ａ内を変位不能となり、その結果切断機本体１０が上方の待機位置において下動不能にロックされた状態となる。
【００１３】
以上のように構成された上死点ロック機構５０は、次のように作動する。先ず、図１及び図２に示すように切断機本体１０が圧縮ばね１７により上方の待機位置に位置する状態では、圧縮ばね５５により作動ロッド５２がロック側に戻されている。作動ロッド５２がロック側に戻された状態では、作動ブラケット６０の作動片部６０ｂがブレードケース１３の背面に接近する方向に位置し、従ってロックピン６５がロック孔２１ｃに差し込まれた状態となっている。このため、切断機本体１０の下動が禁止されたロック状態となっている。
また、このロック状態では、上記したように作動ロッド５２がロック側に位置していることからストッパアーム部５３ｂの先端部５３ｄがカバー２０のストッパ縁部２０ｂの上側に位置している。このため、カバー２０の開き方向（図１及び図２において時計回り方向）の回転が禁止された状態となっている。この状態では、不意に当該カバー２０が開放されることはない。
さらに、このロック状態では、ロック解除レバー５１がハンドル部１４の把持部１４ａから離れた位置に位置している。このロック状態におけるストッパアーム部５３ｂのストッパ縁部２０ｂに対する位置関係及び把持部１４ａに対するロック解除レバー５１の位置関係が図４に示されている。このロック状態ではロック解除レバー５１は把持部１４ａに対してほぼ平行に位置されている。
図４に示すロック状態から、操作者がハンドル部１４の把持部１４ａを把持すると、これと同時にロック解除レバー５１が把持される。ここで、ロック解除レバー５１は支軸５４を介してブラケット５３の支持縁部５３ａ，５３ａ間に回動可能に支持されている。しかも、ブラケット５３が取り付けられた作動ロッド５２がモータ台座部１３ｄに対して軸方向に移動可能に支持されている。このことから、操作者が把持部１４ａを把持すると、先ずロック解除レバー５１は支軸５４を中心にして図示反時計回り方向に傾動し、これによりその傾動先端側が把持部１４ａに当接した状態となる。この当接状態（ロック解除の第１段階解除操作）が図５に示されている。この第１段階解除操作では、作動ロッド５２が移動していないので、切断機本体１０の待機位置でのロック状態は解除されていない。
【００１４】
その後、操作者が把持部１４ａ及びロック解除レバー５１をそのままさらに強く握り締めると、ロック解除レバー５１がその先端部と把持部１４ａとの当接部位を支点として図示時計回り方向に傾動する。この第２段階解除操作により、支軸５４が把持部１４ａに接近する方向に移動してブラケット５３及び作動ロッド５２が圧縮ばね５５に抗してアンロック方向に移動される。この状態（ロック解除の第２段階解除操作完了時点の状態）が図６に示されている。この第２段階解除操作により作動ロッド５２がアンロック側に移動してロックピン６５がリンクアーム２１のロック孔２１ｃから抜き出された状態となる。
図６に示すようにロック解除レバー５１の第２段階解除操作が完了すると、当該ロック解除レバー５１がそのほぼ全長にわたって把持部１４ａに当接した状態となる。
また、ロック解除レバー５１の第２段階解除操作が完了すると、上記したようにロックピン６５がロック孔２１ｃから抜き出された状態になるとともに、ブラケット５３のアンロック側への移動によりストッパアーム部５３ｂの先端部５３ｄがカバー２０のストッパ縁部２０ｂの移動経路から外れ、これにより当該カバー２０の開き方向への回転が許容される状態となる。
こうして、カバー２０の開き方向への回転が許容された状態となり、かつロックピン６５がロック孔２１ｃから抜き出された状態となることにより、リンクアーム２１がブレードケース１３の背面に沿って移動可能な状態となってガイドピン１８がガイド溝２１ａ内を相対移動可能な状態となり、その結果切断機本体１０の待機位置でのロック状態が解除されて、当該切断機本体１０を下動させることができる状態となる。
【００１５】
操作者がハンドル部１４の把持部１４ａを把持して切断機本体１０を上下動させる段階及び切断機本体１０を下方の切断位置に保持して切断加工を行う段階では、ロック解除レバー５１が常に把持されてアンロック位置に保持されることから、ロックピン６５はアンロック位置（図８において二点鎖線で示した上側の位置）に保持され、従って上死点ロック機構５０はアンロック状態に維持される。
また、ハンドル部１４の把持部１４ａを把持したまま、手を移動させることなく指先でスイッチレバー１５を引き操作することにより電動モータ１１を起動させて切断刃１２を回転させることができる。
さらに、切断機本体１０を下動させると、リンクアーム２１が変位して当接板２１ｂが押されることによりカバー２０が連動して開かれて切断刃１２の下部周縁が切断材に向けて露出される。露出された切断刃１２を切断材に押し付けることにより当該切断材が切断加工される。
切断加工完了後、切断機本体１０を再び上死点に戻し、その後操作者がハンドル部１４は手を離すと、作動ロッド５２が圧縮ばね５５によってロック方向（図８において右方）へ戻されることによりロックピン６５が再びロック孔２１ｃに差し込まれ、これにより切断機本体１０が自動的にその上死点である待機位置にロックされる。また、作動ロッド５２がロック方向に戻されることによりブラケット５３が図１及び図２において右側（モータ台座部１３ｄに接近する方向）に戻され、これにより支軸５４が同方向に移動して当該ロック解除レバー５１が図６に示すアンロック位置から図４に示すロック位置に戻される。
ここで、図３に示すように、ハンドル部１４の把持操作によりロック解除レバー５１を把持して一旦上死点でのロックを解除し、その後切断機本体を下動させて切断位置に保持した状態において、ロック解除レバー５１の把持操作を解除すると、この段階ではリンクアーム２１が変位しているため、ロックピン６５はロック孔２１ｃに差し込まれず、圧縮ばね５５の間接作用により当該リンクアーム２１に突き当てられた状態となる。ロックピン６５がリンクアーム２１に突き当てられた状態まで下動するため、ロック解除レバー５１は図３において二点鎖線で示すアンロック位置から実線で示すロック位置の近傍まで戻された状態となる。
【００１６】
以上説明した本実施形態の切断機１によれば、切断機本体１０を上方の待機位置にロックする上死点ロック機構５０において、操作者がハンドル部１４の把持部１４ａを把持すると、これに伴ってロック解除レバー５１が同時に把持されて切断機本体１０の上死点ロック状態が解除されることから、従来のようにハンドル部を把持する動作とは別に把持した指先でロック解除レバーを別途操作する必要がなく、この点でロック解除操作を従来よりも楽に行うことができる。
また、ロック解除レバー５１を二段階で傾動操作して作動ロッド５２をその軸方向に移動させることによりロック解除操作する構成であるので、作動ロッドをその軸回りに回転させることによりロック解除操作する構成に比して、当該ハンドル部１４の内側スペース（操作者が手を差し入れるスペースＳ）を大きくして必要以上にロック解除レバー５１の操作量を大きくすることなく、作動ロッド５２の十分な移動距離（ストローク）を確保することができ、これによりロックピン６５のロック孔２１ｃに対する抜き出された状態（アンロック状態）と挿入された状態（ロック状態）の切り換えを確実に行うことができる。
さらに、ロック解除レバー５１を第１段階解除操作と第２段階解除操作の二段階で傾動操作する構成であるので、第１段階解除操作の開始時点（ロック位置）で図４に示すように当該ロック解除レバー５１を把持部１４ａに対して平行に配置させ、かつ第２段階解除操作の完了時点（アンロック位置）でも図６に示すように当該ロック解除レバー５１を把持部１４ａに対して平行に配置させることができる。第２段階解除操作完了時点でロック解除レバー５１が把持部１４ａに対して平行に位置する構成であるので、傾斜状態に位置する構成に比して操作者は当該ロック解除レバー５１の存在を気にすることなく良好な感触で把持部１４ａを把持することができ、これにより切断加工時等におけるハンドル部１４の操作性を向上させることができる。
【００１７】
次に、特許請求の範囲に記載した各発明は、以上説明した一実施形態に限定されるものではなく、これに様々な変更を加えて実施することができる。
例えば、ハンドル部１４の把持部１４ａの上側に小型のスイッチレバー１５を備え、下側に沿ってロック解除レバー５１を配置した構成を例示したが、図９に示すようにハンドル部３１の把持部３１ａの内側ほぼ全長にわたる長さの大型のスイッチレバー３２を備えた切断機本体３０の場合には、当該スイッチレバー３２の下側に沿ってロック解除レバー５６を配置する構成としてもよい。この第２実施形態に係る切断機本体３０の場合、ハンドル部３０の把持部３１ａを把持するとスイッチレバー３２が同時に操作されることから、前記第１実施形態のように別途指先を伸ばしてスイッチレバー１５をオン操作する必要がなく、この点でスイッチレバー３２の操作性が一層よくなる。第２実施形態の場合この大型のスイッチレバー３２の内側に沿って切断機本体３０の上死点ロック状態を解除するためのロック解除レバー５６が配置されている。その他の部材及び構成については前記第１実施形態と同様であるので、同位の符号を用いてその説明を省略する。
この第２実施形態に係るロック解除レバー５６によれば、操作者がハンドル部３１の把持部３１ａを把持すると、これとともにロック解除レバー５６が把持されて切断機本体３０の上死点ロック状態が解除されるとともにスイッチレバー３２がオン操作されることから、当該切断機１の操作性を一層よくすることができる。また、この第２実施形態の場合であっても、ロック解除レバー５６がアンロック操作されてブラケット５３がアンロック方向（図９において左方）に移動することにより、これと一体でストッパアーム５３ｂが同方向に移動し、これによりカバー２０の開放が許容される状態となる。
【００１８】
以上説明した第１、第２実施形態にはさらに変更を加えることができる。例えば、切断機の一例として卓上形の丸鋸盤を例示したが、据え付け形の丸鋸盤についても同様に適用することができる。また、円形の切断刃（鋸刃）を回転させて切断加工を行う丸鋸盤に限らず、切断刃を往復動させて切断加工を行うレシプロソー等の切断機にも同様に適用することができる。さらに、切断刃として切断刃ではなく砥石を備えた主として鋼材切断用の切断機にも同様に適用することができる。
また、上死点ロック機構５０において、ロック解除レバー５１を第１段階解除操作と第２段階解除操作の二段階で傾動させる構成を例示したが、単に一段階で傾動させてアンロック操作する構成、あるいは平行移動させてアンロック操作するロック解除レバーとしてもよい。これらの場合であっても、ハンドル部の把持部を把持すると同時に当該ロック解除レバーを把持してそのままアンロック操作できる構成とすることにより、前記の作用効果を得ることができる。また、ロック解除レバーを単に平行移動させて作動ロッドをその軸方向に移動させてロックピンをロック孔に対する係脱を行う構成とすることによっても、作動ロッドをその軸回りに回転させる構成に比してロック解除レバーの操作量を必要以上に大きくすることなくロックピンの適切なストロークを確保することができる。
【図面の簡単な説明】
【００１９】
【図１】本発明の実施形態を示す図であり、卓上丸鋸盤の側面図である。
【図２】切断機本体の側面図である。本図は、切断機本体が上方の待機位置に位置する状態を示している。
【図３】切断機本体の側面図である。本図は、切断機本体が下方の切断位置に位置する状態を示している。また、本図において、切断機本体が切断位置に位置する結果、ロック解除レバーは図中二点鎖線で示すアンロック位置に保持され、従ってストッパアーム部５３ｂは図中二点鎖線で示す退避位置に位置保持されている。
【図４】ロック解除レバー及びその周辺の側面図である。本図は、ロック解除レバーを操作していない上死点ロック状態を示している。
【図５】ロック解除レバー及びその周辺の側面図である。本図は、ロック解除レバーを第１段階解除操作が完了した状態を示している。この段階では、切断機本体の上死点ロック状態は解除されていない。
【図６】ロック解除レバー及びその周辺の側面図である。本図は、ロック解除レバーを第２段階解除操作が完了したアンロック状態を示している。
【図７】切断機本体を操作者側から見た正面図である。本図では、ハンドル部の連結部が縦断面で示されている。
【図８】上死点ロック機構を図２において矢印（９）方向から見た図である。
【図９】本発明の第２実施形態に係るハンドル部の側面図である。本図において、アンロック側に操作されたロック解除レバーが実線で示され、ロック側に位置するロック解除レバーが二点鎖線で示されている。
【符号の説明】
【００２０】
１…切断機（卓上丸鋸盤）
２…テーブル
３…ベース
４…アーム部、４ａ…台座部
５…支軸
１０…切断機本体
１１…電動モータ
１２…切断刃（切断刃）
１３…ブレードケース、１３ｄ…モータ台座部
１４…ハンドル部、１４ａ…把持部
１５…スイッチレバー（第１実施形態）
Ｓ…ハンドル部内側のスペース
２０…カバー、２０ｂ…ストッパ縁部
２１…リンクアーム、２１ｃ…ロック孔
３２…スイッチレバー（第２実施形態）
５０…上死点ロック機構
５１…ロック解除レバー（第１実施形態）
５２…作動ロッド
５３…ブラケット、５３ｂ…ストッパアーム部
５６…ロック解除レバー（第２実施形態）
６０…作動ブラケット、６０ａ…起立片部、６０ｂ…作動片部
６５…ロックピン
【図１】
2007111945.tif 000003
【図２】
2007111945.tif 000004
【図３】
2007111945.tif 000005
【図４】
2007111945.tif 000006
【図５】
2007111945.tif 000007
【図６】
2007111945.tif 000008
【図７】
2007111945.tif 000009
【図８】
2007111945.tif 000010
【図９】
2007111945.tif 000011